(57)【特許請求の範囲】
【請求項１】
傾斜状態で複数枚堆積されるべき被記録材の、最上位のものを被記録材に記録を行う記録部へと１枚ずつ給送する給紙ローラと、
前記傾斜状態の被記録材の最下位のものの前部側背面を前記給紙ローラに向けて押圧することにより、同最上位のものの前部側上面を前記給紙ローラに圧接させる、前記傾斜状態の被記録材の前部側背面を支持するホッパと、
前記給紙ローラ近傍に配置され、前記傾斜状態の被記録材先端を支持し、且つ該先端を揃える先端支持面と、
該先端支持面から被記録材の給送方向下流側に配置され、前記給紙ローラとの間で被記録材を挟圧することにより、堆積された被記録材の最上位のものを次位以降の被記録材から分離する分離パッドと、
を有する給紙装置における、前記傾斜状態の被記録材を背面から支持するペーパーサポートであって、
ハガキサイズより大きく且つ剛性の低い被記録材を傾斜状態で複数枚堆積させる際に、該被記録材先端を確実に前記先端支持面に当接させ、且つ、該被記録材先端が前記先端支持面に当接する際の当接力を緩和させる、該被記録材後部側を更に寝かせるような傾斜状態とする荷重分散支持面を有し、
前記ホッパの押圧解除状態において、略ハガキサイズであって且つ剛性の高い被記録材の姿勢が、ハガキサイズよりも大きく且つ剛性の低い被記録材の、該非記録材の先端から前記略ハガキサイズの被記録材後端に相当する位置に至る区間における姿勢と、略同じとなるように形成されている、
ことを特徴とするペーパーサポート。
【請求項２】
請求項１において、前記荷重分散支持面が、上方に向かって凸となる湾曲面によって形成されていることを特徴とするペーパーサポート。
【請求項３】
請求項１または２において、前記給紙装置から取り外し可能に構成されていることを特徴とするペーパーサポート。
【請求項４】
請求項１から３のいずれか１項において、樹脂成形によって全体が一体的に形成されていることを特徴とするペーパーサポート。
【請求項５】
請求項１から４のいずれか１項に記載のペーパーサポートを備えていることを特徴とする給紙装置。
【請求項６】
請求項１から４のいずれか１項に記載のペーパーサポートを備えていることを特徴とする記録装置。
【発明の詳細な説明】
【０００１】
【発明の属する技術分野】
本発明は、傾斜状態で複数枚堆積されるべき被記録材の、最上位のものを被記録材に記録を行う記録部へと１枚ずつ給送する給紙装置において、前記傾斜状態の被記録材を背面から支持するペーパーサポートに関する。また、本発明は、該ペーパーサポートを備えた給紙装置、記録装置に関する。
【０００２】
【従来の技術】
プリンタ、ファクシミリ等に代表される記録装置においては、装置後部側に被記録材としての印刷用紙（以下、単に「用紙」と言う）を傾斜状態で複数枚堆積させ、給紙装置によって装置前部側に位置する記録部へと用紙を給送し、記録の行われた用紙を装置前面から排出するような構成が広く用いられている。
【０００３】
この種の従来の給紙装置の構成は、より詳細には、傾斜状態で複数枚堆積されるべき用紙の、最上位のものを被記録材に記録を行う記録部へと１枚ずつ給送する給紙ローラと、前記傾斜状態の用紙の最下位のものの前部側背面を前記給紙ローラに向けて押圧することにより、同最上位のものの前部側上面を前記給紙ローラに圧接させる、前記傾斜状態の用紙の前部側背面を支持するホッパと、前記給紙ローラ近傍に配置され、前記傾斜状態の用紙先端を支持し、且つ該先端を揃える先端支持面と、該先端支持面から用紙の給送方向下流側に配置され、前記給紙ローラとの間で用紙を挟圧することにより、堆積された用紙の最上位のものを次位以降の用紙から分離する分離パッドと、を有している。そして、該給紙装置の後部側には、傾斜状態の用紙を背面から支持するペーパーサポートが備えられていて、傾斜状態に堆積されるべき用紙は、ホッパ及びペーパーサポートによってその背面を支持され、これにより、用紙は一定の傾斜状態で堆積されるようになっている。
【０００４】
ところで、記録装置においては種々のサイズの用紙が用いられ、更に、用いられる用紙の材質にも、ＯＨＰシート、剛性の高いハガキ、剛性の低い普通紙等、多種多様なものが存在する。ここで、用紙が滑りやすい用紙の場合（例えば、ＯＨＰシート等）、前述した用紙を傾斜状態で堆積させるような給紙装置においては、用紙が自重によって滑降し易く、いわゆる雪崩現象を起こし、その結果、用紙の複数枚が給紙ローラとホッパとの挟圧部に入りこみ、用紙が重送されるという不具合が発生する場合があった。また、用紙の剛性が低く、腰の弱いものである場合に同様な雪崩現象が発生すると、用紙先端部において用紙のカールや折れ曲がりが発生する場合があり、その結果正常な給紙動作が行われないという問題もあった。そこで、この種の問題を解決する従来技術として、特開平１０−１５５２２３１号公報に開示される給紙装置が知られている。
【０００５】
この給紙装置においては、ペーパーサポートの用紙支え面を略水平状態に向けて形成し、この水平部分で用紙の後部側を支える様にして該用紙の重量の殆どを該ペーパーサポート部分で支えることにより、即ち、用紙先端へ用紙の自重を集中させないように、ペーパーサポートを寝かせて当該ペーパーサポートに用紙荷重をより一層負担させることによって、前述した雪崩現象を防止するようにしている。
【０００６】
【発明が解決しようとする課題】
しかし、このような従来技術においては、斜めに積層されている用紙の自重による雪崩現象を防ぐという技術課題を達成する為に、ぺーパーサポートを略水平構造にすることは開示されているが、以下の技術課題については全く考慮されておらず、また、それを示唆する記載も見あたらない。以下、当該技術課題について説明する。
【０００７】
用紙の荷重を分散してその一部を負担する従来技術に係るペーパーサポートの形状においては、ホッパが用紙前部側背面を支持する用紙支え面に続いて、直ちに略水平面の用紙支え面となるようなペーパーサポートの形状となっている。しかし、前述の如く用紙には種々の異なるサイズ・材質のものが存在する。従って、ホッパが用紙前部側背面を支持する用紙支え面が、用紙の長さ方向（給送方向）に対して短い場合であって、且つ、用紙の剛性が高い場合、例えば、ハガキ用紙を堆積させる場合において、ホッパがハガキ用紙のサイズに対して小さい様な場合、給紙装置にセットしたハガキ用紙は後方側に極端に倒れた状態で堆積されることになる。これにより、剛性が低くサイズの大きい用紙と、剛性が高くサイズの小さい用紙では、用紙先端の先端支持面に対する突入角度が異なり、また、ホッパが押圧状態となって最上位の用紙が給送される際の、最上位の用紙を次位以降の用紙と分離する分離パッドへの用紙先端の突入角度も、前記２つの用紙間で異なることになる。ここで、用紙先端の分離パッドへの突入角度は、分離パッドの摩擦係数やその設置数、大きさによって最も適切な値となるように各構成要素が設けられている。従って、用紙の種類によって分離パッドへの突入角度がばらつくと、分離パッドによる分離が不確実となる虞がある。
【０００８】
また、前述したハガキ用紙は、一般に厚手であるので、堆積される複数枚のハガキ用紙が前述の如く後方側に極端に倒れると、用紙先端が不揃いの状態となり、また、この状態でホッパが押圧状態と押圧解除状態を繰り返すと、用紙間の摩擦保持力により、前記不揃い状態が更に一層悪化する。この様に用紙先端が不揃いの状態となると、前記同様分離パッドによる分離が不確実となる虞がある。これは、特に、近年よく用いられている、写真画質を実現するフォト・クオリティペーパーを使用する場合、用紙間の摩擦係数が一般の用紙間の摩擦係数よりも大なる為、一層この傾向が強くなる。以上が、従来技術において考慮されていない技術課題である。
【０００９】
また、類似する他の従来技術として、特開平２０００−０９５３６２号公報に開示される給紙装置が発案されている。この従来技術における技術的課題は、用紙先端にカール等の変形がある場合に、用紙先端が不揃いとなり、分離パッドによる分離が不確実となることである。従ってこの従来技術においては、ホッパの用紙支え面と、ペーパーサポートの用紙支え面との関係を、用紙先端が上反りせず下向き状態において用紙の先端支持面に当該用紙を当接させる強制力が及ぶようにしている。より具体的には、例えばペーパーサポートの用紙支え面の形状を上が凸となるような湾曲形状とすることで、用紙に上が凸となるような湾曲状態を発生させ、もって用紙先端が向かうベクトルを下向き状態としている。
【００１０】
しかし、この従来技術においては、用紙先端がカールしている場合に用紙先端が不揃いとなり、分離パッドによる分離が不確実となる点が技術的課題であって、そして当該技術的課題を解決する為に、用紙に湾曲状態を発生させ、即ち、用紙の撓みを利用して前記技術的課題を解決するようになっている。従って、用紙の種類（用紙サイズ、用紙の剛性）とホッパの用紙支え面との関係による、分離パッドへの突入角度の違いについては何ら考慮されておらず、また、それに対する示唆等も無い。
【００１１】
従って、本発明の課題は、用紙サイズと、用紙の剛性を考慮した上で、特に、剛性の高いハガキと、その他の剛性の低い普通紙を、同一のペーパーサポートで双方ともに適切な状態で給紙装置に堆積させ、以て正常な給紙動作を行わせることにある。
【００１２】
【課題を解決するための手段】
上記課題を解決するために、本願請求項１記載のペーパーサポートは、傾斜状態で複数枚堆積されるべき被記録材の、最上位のものを被記録材に記録を行う記録部へと１枚ずつ給送する給紙ローラと、前記傾斜状態の被記録材の最下位のものの前部側背面を前記給紙ローラに向けて押圧することにより、同最上位のものの前部側上面を前記給紙ローラに圧接させる、前記傾斜状態の被記録材の前部側背面を支持するホッパと、前記給紙ローラ近傍に配置され、前記傾斜状態の被記録材先端を支持し、且つ該先端を揃える先端支持面と、該先端支持面から被記録材の給送方向下流側に配置され、前記給紙ローラとの間で被記録材を挟圧することにより、堆積された被記録材の最上位のものを次位以降の被記録材から分離する分離パッドと、を有する給紙装置における、前記傾斜状態の被記録材を背面から支持するペーパーサポートであって、ハガキサイズより大きく且つ剛性の低い被記録材を傾斜状態で複数枚堆積させる際に、該被記録材先端を確実に前記先端支持面に当接させ、且つ、該被記録材先端が前記先端支持面に当接する際の当接力を緩和させる、該被記録材後部側を更に寝かせるような傾斜状態とする荷重分散支持面を有し、前記ホッパの押圧解除状態において、略ハガキサイズであって且つ剛性の高い被記録材の姿勢が、ハガキサイズよりも大きく且つ剛性の低い被記録材の、該非記録材の先端から前記略ハガキサイズの被記録材後端に相当する位置に至る区間における姿勢と、略同じとなるように形成されていることを特徴とする。
【００１３】
本願請求項１記載の発明によれば、略ハガキサイズであって且つ剛性の高い被記録材と、ハガキサイズよりも大きく且つ剛性の低い被記録材との双方を、同一のペーパーサポートで双方ともに適切な状態で給紙装置に堆積させ、以て正常な給紙動作を行わせることが可能となる。以下、本願請求項１記載の発明の作用効果を述べる。
【００１４】
先ず、ハガキサイズより大きく且つ剛性の低い被記録材、一例としてＡ４普通紙等を堆積させる場合、用紙先端を先端支持面に確実に当接させ、且つ、用紙先端が先端支持面に当接する当接力を緩和させる、該用紙後部側を更に寝かせるような傾斜状態とする荷重分散支持面を有しているので、これによって用紙先端が確実に先端支持面に当接し、従って用紙先端が揃い、分離パッドによる分離の不確実を防止できる。そして更に、用紙荷重が用紙先端に集中せずにペーパーサポート側に分散されるので、以て前述した雪崩現象を防止し、分離パッドによる分離の不確実及び用紙先端の変形が防止される。即ち、剛性の低い例えばＡ４普通紙等を最適な状態で堆積させ、正常な給送動作をすることができるようになっている。
【００１５】
一方で、ペーパーサポートの用紙支え面は、剛性の高い略ハガキサイズの被記録材、例えばハガキ用紙が、ホッパの押圧解除状態において、堆積された状態におけるその姿勢を、前記Ａ４普通紙等における、ハガキサイズに相当する部位の姿勢と略同じとすることができる様に形成されている。つまり、用紙長が短く剛性の高いハガキ用紙は、当該用紙背面を支持するホッパの用紙支え面が用紙の長さ方向（給送方向）に対して短い様な場合においても、用紙全体が後方側に倒れるようなことがなく、前述した、正常な給紙動作が行われる剛性の低いＡ４普通紙等と略同じ姿勢をとることができ、これによって分離パッドへの突入角度に差違が生ずることが無い。従って、分離パッドへの突入角度の違いによって分離が不確実となる虞が無く、また同様に、用紙先端の不揃いによって、分離が不確実となる虞も無い。
【００１６】
尚、ここでの“略同じ姿勢”とは、ハガキサイズより大きく剛性の低い被記録材においては、荷重分散支持面によって若干の撓みが発生することから当該撓み部分を考慮したものである。従って、よく撓る剛性の極めて低い用紙（例えば、極めて薄手のＡ４普通紙）の姿勢ほどよく近似する。また、“剛性の低い”とは、自らが撓ることによってペーパーサポートの荷重分散支持面に支持されることが出来る程度に剛性が低いことを言う。更に、“略ハガキサイズ“とは、ハガキサイズ（約148×100mm）そのものの他に、当該サイズに近似するサイズ、例えば、一般的に知られている用紙サイズであるＡ６サイズ（約148×105mm）、やフォト・ペーパーサイズ（約148×113mm）等をも含むことを意味する。
【００１７】
本願請求項２記載のペーパーサポートは、請求項１において、前記荷重分散支持面が、上方に向かって凸となる湾曲面によって形成されていることを特徴とする。
本願請求項２記載の発明によれば、荷重分散支持面が上方に向かって凸となる湾曲面によって形成されているので、被記録材に無理な変形を与えることが無く、被記録材を長期間堆積させた状態においても変形くせを最小限に抑えることができる。
【００１８】
本願請求項３記載のペーパーサポートは、請求項１または２において、前記給紙装置から取り外し可能に構成されていることを特徴とする。
本願請求項３記載の発明によれば、給紙装置から取り外し可能に構成されているので、持ち運び時における利便性が良い。
【００１９】
本願請求項４記載のペーパーサポートは、請求項１から３のいずれか１項において、樹脂成形によって全体が一体的に形成されていることを特徴とする。
本願請求項４記載の発明によれば、樹脂成形によって全体が一体的に形成されているので、低コスト化を計ることができる。
【００２０】
本願請求項５記載の給紙装置は、請求項１から４のいずれか１項に記載のペーパーサポートを備えていることを特徴とする。
本願請求項５記載の発明によれば、給紙装置において、前述した本願請求項１から４のいずれか１項に記載の発明と同様な作用効果を得ることができる。
【００２１】
本願請求項６記載のペーパーサポートは、請求項１から４のいずれか１項に記載のペーパーサポートを備えていることを特徴とする。
本願請求項６記載の発明によれば、記録装置において、前述した本願請求項１から４のいずれか１項に記載の発明と同様な作用効果を得ることができる。
【００２２】
【発明の実施の形態】
以下、本発明の実施の形態について図面を参照しつつ説明する。
先ず、図１を参照しながら、本発明に係る「インクジェット式記録装置」としてのインク・ジェット・プリンタの概要について説明する。図１は、本実施形態に係るインク・ジェット・プリンタ１００の外観斜視図である。
【００２３】
インク・ジェット・プリンタ（以下、単に「プリンタ」という。）１００は、「被記録材」としての印刷用紙（単票紙、以下、「用紙Ｐ」という）を複数枚堆積する給紙装置１をプリンタ１００本体の背面部に備える。給紙装置１は堆積される用紙Ｐを背面から支えるペーパーサポート２及び２ａと、可動側エッジガイド３、固定側エッジガイド４と、図１においては図示しない給紙ローラ５、ホッパ６、分離パッド７から大略構成される。尚、給紙ローラ５、ホッパ６、分離パッド７については後に詳述する。
【００２４】
用紙Ｐはプリンタ１００後方側から差し込むようにセットされ、斜めに傾斜した状態で給紙装置１に複数枚堆積される。このとき、可動側エッジガイド３を、用紙Ｐのサイズに合わせてペーパーサポート２ａ上において摺動させ、適切な位置に固定することにより、用紙Ｐの側端をガイドさせる。これにより、用紙Ｐが斜行することなく適切な姿勢で給送される。そして、用紙Ｐは給紙装置１によって装置後方側から本体中程に位置する記録部８へと給送され、印刷が終了した用紙Ｐは本体前面の開口部９から排出されるような構成となっている。
【００２５】
プリンタ１００は複数の樹脂製部材によってその外側が構成されていて、装置全体を覆う本体カバー１０、装置内部のメンテナンスを行うために本体カバー１０中央に設けられた窓部を覆う上部カバー１１、装置本体前部に位置して電源ボタン等の操作部を構成する前部カバー１２ａ及び１２ｂ、によって装置本体が覆われている。本体カバー１０の背面には、前述した傾斜状態で堆積されるべき用紙Ｐを受けるペーパーサポート２ａが本体カバー１０と一体成形によって設けられていて、本体カバー１０の背面には、独立部材としての脱着可能なペーパーサポート２が取り付けられている。尚、この取付構造については後に詳述する。そして、前部カバー１２ａ，１２ｂには排出された用紙Ｐを受け取る排紙スタッカ１３が取り付けられている。これらは全て樹脂材料によって形成されていて、前部カバー１２ａ及び１２ｂを除いては、必要に応じて容易に取り外し可能なように構成されている。
【００２６】
次に、図２を参照しつつ、ペーパーサポート２の構成について説明する。図２は、ペーパーサポート２の外観斜視図である。
ペーパーサポート２は樹脂成形によって全体が一体的に形成されていて、その下部に本体カバー１０に取り付ける為のＬ字形掛止部１４ａ，１４ｂ，１４ｃが形成されている。Ｌ字形掛止部１４ａ，１４ｂ，１４ｃは、プリンタ１００本体の背面図である図３に示す、掛止溝１６ａ，１６ｂ，１６ｃにそれぞれ係合し、ペーパーサポート２の本体カバー１０へのワンタッチでの取り付けを可能としている。また、逆に、ワンタッチでの取り外しも可能としている。
【００２７】
上部は用紙Ｐを支える用紙支え面となっていて、プリンタ１００本体に取り付けられた際、プリンタ１００後方に向かって反る様な湾曲形状をなしている。用紙Ｐは、その剛性が低い場合、該湾曲形状に沿って撓り、用紙先端側に対して用紙後端側が寝るような傾斜状態となり、これによって用紙先端に用紙自重が集中せず、ひいては堆積された用紙が滑降する“雪崩現象”を防止することができる様になっている。従って、湾曲面１５は、「荷重分散支持面」としての役割を果たしている。
【００２８】
次に、図４乃至図７を参照しつつ、給紙装置１の構成及びペーパーサポート２，２ａの作用効果について述べる。ここで、図４乃至図７は、給紙装置１の各構成要素を簡略図示した模式図であって、用紙Ｐの給送方向を側面視したものであり、図４はホッパ６が押圧解除状態にある様子を、図５はホッパ６が押圧状態にある様子を、図６はホッパ６の押圧解除状態においてハガキサイズより大きいサイズの用紙（例えば、Ａ４用紙）ＰＬがセットされた様子を、図７は同様にホッパ６の押圧解除状態においてハガキ用紙ＰＳがセットされた様子を示している。
【００２９】
図４において、傾斜状態に堆積される用紙Ｐの最上位のものを給送する給紙ローラ５は側面視略Ｄ形をなしている。給紙ローラ５の下部には最上位の用紙Ｐを次位以降の用紙Ｐと分離する分離パッド７が分離パッド・ユニット１７に設置されている。分離パッド・ユニット１７は本実施の形態では回動軸１７ａを中心に回動可能に構成され、待機時には、図示しない付勢部材によって図４における時計方向に付勢された状態で、且つ、上向きに立った状態に置かれている。そして、用紙Ｐの給送時には、給紙ローラ５が図の矢印の方向に回動し、平坦面５ａが分離パッド・ユニット１７を図の矢印の方向へ押し倒すことによって、図５に示すような、給紙ローラ５と分離パッド７との圧接状態になる。ホッパ６は、図示しない付勢部材によって給紙ローラ６に向かって略そのままの姿勢で進行可能に構成され、用紙Ｐの給送時には、堆積された用紙Ｐの最下位のものの前方側背面を押圧し、堆積された用紙Ｐの最上位のものの前方側上面を、給紙ローラ５に圧接させる。以上により、堆積された用紙Ｐの最上位のものが、次位以降の用紙Ｐと分離され、１枚ずつ給送される。
【００３０】
ホッパ６の上部にはペーパーサポート２ａ及び２が配置される。ペーパーサポート２は前述の如く本体カバー１０（図１参照）から取り外し可能に構成されていて、ペーパーサポート２ａは、本体カバー１０と一体成形によって形成されている。ペーパーサポート２ａが用紙Ｐの背面を支える用紙支え面は平坦面となっていて、ペーパーサポート２においては、該ペーパーサポート２が本体カバー１０に取り付けられた状態において、前述の如く上に凸となるような湾曲形状をなしている。尚、ペーパーサポート２及び２ａは本実施形態においては別個の部材に構成されているが、同一部材によって構成されていても構わない。
【００３１】
ホッパ６が用紙Ｐを支える用紙支え面と、ペーパーサポート２ａが用紙Ｐを支える用紙支え面とは、ホッパ６が待機状態にある場合において、略同じとなるように構成されている。ペーパーサポート２の湾曲面１５は、本実施の形態ではペーパーサポート２が本体カバー１０に取り付けられた際、前記２つの用紙支え面を含む傾斜面Ｆよりやや後退した位置に配置されるように、ペーパーサポート２と本体カバー１０とが形成されている。
【００３２】
次に、図６及び図７を参照しつつ、ペーパーサポート２ａ及び２の作用効果について説明する。図６において、堆積された用紙ＰＬは、用紙前方側から用紙後方側に向かって順に、ホッパ６、ペーパーサポート２ａ、ペーパーサポート２によってその背面が支えられている。用紙ＰＬは剛性の低い普通紙であるので、ペーパーサポート２の湾曲面１５に沿って変形し、即ち、用紙後方側が更に寝るような斜度を有し、以て用紙ＰＬの荷重が湾曲面１５によって分担支持されるようになっている。従ってこれにより、用紙ＰＬの先端が先端支持面１８に当接する際の当接力が緩和され、いわゆる用紙の雪崩現象を防止している。尚、用紙ＰＬはこの様に湾曲面１５に沿って変形する為、用紙ＰＬの若干の剛性によって、若干の撓み部１９が形成される場合がある。また、湾曲面１５がホッパ６から一定の距離だけ離間した状態に配置されているので、湾曲面１５がホッパ６の直上に配置される場合の様に、用紙ＰＬの剛性により用紙先端が先端支持面１８に突入する角度が浅くなり、用紙先端が先端支持面１８に当接しないという不具合が防止されている。
【００３３】
一方、剛性の高いハガキ用紙ＰＳは、図７に示す様に、給紙装置１に堆積された際、図示の如く殆ど変形することが無い為、用紙前方側から用紙後方側に向かって順に、ホッパ６、ペーパーサポート２ａによって支えられるようになっている。つまり、ペーパーサポート２ａの存在及び、ペーパーサポート２が傾斜面Ｆから突出していないことにより、用紙ＰＳは、図６に示した剛性の低い用紙ＰＬにおけるハガキサイズに相当する部位と略同じ姿勢をとることができる。従ってこれにより、剛性の高い用紙ＰＳが、ホッパ６の押圧解除状態において、図７において仮想線で示す様に用紙全体が後方側に倒れることなく、剛性が低く安定して堆積された状態を保つことができるようになっている用紙ＰＬと略同じ姿勢をとることができ、これによって分離パッド７への突入角度に差違が生ずることが無い。よって、分離パッド７への突入角度の違いによって分離が不確実となる虞が無く、また同様に、用紙ＰＳ先端の不揃いによって、分離が不確実となる虞も無い。
【００３４】
【発明の効果】
以上説明したように、本発明によれば、ペーパーサポートが、剛性の高い略ハガキサイズの被記録材、例えばハガキ用紙が、ホッパの押圧解除状態において、堆積された状態におけるその姿勢を、剛性の低いＡ４普通紙等のハガキサイズに相当する部位における姿勢と略同じとすることができる様に形成されているので、略ハガキサイズであって且つ剛性の高い被記録材と、ハガキサイズよりも大きく且つ剛性の低い被記録材との双方を、同一のペーパーサポートで双方ともに適切な状態で給紙装置に堆積させ、以て正常な給紙動作を行わせることが可能となる。
【図面の簡単な説明】
【図１】本発明に係るインク・ジェット・プリンタの外観斜視図である。
【図２】本発明に係るペーパーサポートの外観斜視図である。
【図３】本発明に係るインク・ジェット・プリンタを後方側から見た正面図である。
【図４】本発明に係る給紙装置の各構成要素を概略図示した模式図である。
【図５】本発明に係る給紙装置の各構成要素を概略図示した模式図である。
【図６】本発明に係る給紙装置の各構成要素を概略図示した模式図である。
【図７】本発明に係る給紙装置の各構成要素を概略図示した模式図である。
【符号の説明】
１  給紙装置
２，２ａ  ペーパーサポート
５  給紙ローラ
６  ホッパ
７  分離パッド
１５  湾曲面
１８  先端支持面
Ｐ  用紙
ＰＳ  ハガキ用紙
ＰＬ  Ａ４普通紙
【図１】
0003912477.tif 000002
【図２】
0003912477.tif 000003
【図３】
0003912477.tif 000004
【図４】
0003912477.tif 000005
【図５】
0003912477.tif 000006
【図６】
0003912477.tif 000007
【図７】
0003912477.tif 000008